(57)【要約】【課題】施錠装置の不正解錠を未然に防止することができるパチンコ機等の遊技機を提供する。【解決手段】パチンコ機１０１は、外枠１０２と、該外枠１０２の前部に設けられ外枠１０２の一側部にて開閉可能に支持された前面枠１０３とを備えている。前面枠１０３の前面側にはガラス扉枠１０４が設けられている。施錠装置によって、外枠１０２に対して前面枠１０３が施錠されるとともに、前面枠１０３に対してガラス扉枠１０４が施錠されている。シリンダ錠７にキーを差し込んで一方に回動すると前面枠１０３が解錠され、他方に回動するとガラス扉枠１０４が解錠される。ここで、外枠１０２と前面枠１０３との間から針金等により不正解錠をしようとしても、内部の施錠部材が複数設けられかつ独立して動作することによって、容易には不正解錠できないようになっている。【選択図】図１
2010264309.tif 000002
【特許請求の範囲】
【請求項１】
遊技機本体と、その前面側に当該遊技機本体に対して開閉される開閉部材とを備え、該開閉部材の施錠を行う施錠装置を設けた遊技機において、
前記施錠装置は、外部操作手段の操作に連動して前記開閉部材の解錠方向へ移動する移動部材と、前記開閉部材の施錠位置と解錠位置とに移動可能でありかつ施錠方向へ付勢された複数の施錠部材とを備え、
前記移動部材の前記解錠方向への移動に連動して前記各施錠部材が解錠位置へ移動し、前記移動部材が前記解錠方向へ移動していない場合には前記各施錠部材はそれぞれ独立して前記付勢力によって施錠位置に保持されるように構成したことを特徴とする遊技機。
【発明の詳細な説明】
【技術分野】
【０００１】
本発明は、パチンコ機、スロットマシン等の遊技機に関するものである。
【背景技術】
【０００２】
パチンコ機、スロットマシン等の遊技機においては、外枠、筐体等の遊技機本体の前面側に、前面枠，ガラス扉枠，フロントパネル等の開閉部材が取り付けられている。かかる開閉部材は、閉じた状態で施錠装置によって遊技機本体に対し施錠されており、キー操作等によって解錠することにより開くことができるようになっている。
【０００３】
かかる施錠装置をパチンコ機に適用した場合の従来の技術について説明する。前面枠にはキーシリンダが備えられるとともに、キーシリンダに差し込まれるキーの回動操作に連動して回動されるカムや、カムの回動に連動して摺動される摺動杆などが備えられている。また、前面枠側の第１鉤部材に対応して外枠側に受け部材が設けられ、前面枠側の第２鉤部材に対応してガラス扉枠側に受け部材が設けられている。
【０００４】
そして、キーの一方への回動操作によって、第１鉤部材と外枠側の受け部材との係合関係が解除され、前面枠を外枠に対し開放することができるようになる。また、キーの他方への回動操作によって、第２鉤部材とガラス扉枠側の受け部材との係合関係が解除され、ガラス扉枠を前面枠に対し開放することができるようになる。
【発明の概要】
【発明が解決しようとする課題】
【０００５】
ところが、上記施錠装置においては、前面枠やガラス枠等の開閉部材を針金等を利用して解錠する不正が行われる可能性がある。また、上記施錠装置は、前面枠用とガラス枠用とで個別に長尺の摺動杆を有しているなど構成が複雑でありコスト高になるとともに重量が重くなって開閉部材の開閉にも支障を来すなどの可能性もある。
【０００６】
本発明は、開閉部材を施錠する施錠装置を備えた遊技機において、以上の問題を解決することを目的の一つとするものである。
【課題を解決するための手段】
【０００７】
上記の目的を達成するために、本発明では、遊技機本体と、その前面側に当該遊技機本体に対して開閉される開閉部材とを備え、該開閉部材の施錠を行う施錠装置を設けた遊技機において、
前記施錠装置は、外部操作手段の操作に連動して前記開閉部材の解錠方向へ移動する移動部材と、前記開閉部材の施錠位置と解錠位置とに移動可能でありかつ施錠方向へ付勢された複数の施錠部材とを備え、
前記移動部材の前記解錠方向への移動に連動して前記各施錠部材が解錠位置へ移動し、前記移動部材が前記解錠方向へ移動していない場合には前記各施錠部材はそれぞれ独立して前記付勢力によって施錠位置に保持されるように構成したことを特徴とする。
【発明の効果】
【０００８】
本発明によれば、開閉部材を施錠する施錠装置を備えた遊技機において、不正が行われる可能性の低減などの効果が得られる。
【図面の簡単な説明】
【０００９】
【図１】一実施の形態におけるパチンコ機を示す正面図である。
【図２】同パチンコ機を示す背面図である。
【図３】同パチンコ機に設けられた施錠装置を示す正面図である。
【図４】同施錠装置を示す背面図である。
【図５】同施錠装置を示す右側面図である。
【図６】同施錠装置を示す左側面図である。
【図７】同施錠装置を示す分解背面図である。
【図８】同施錠装置を示す分解右側面図である。
【図９】同施錠装置においてガラス扉枠の解錠時の状態を表す背面図である。
【図１０】施錠装置の使用状態を示す右側面図である。
【図１１】他の実施の形態において施錠装置に設けられる強制開放機構を示す右側面図である。
【図１２】同強制開放機構を示す右側面図である。
【発明を実施するための形態】
【００１０】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．遊技機本体（例えば、外枠）と、その前面側に当該遊技機本体に対して開閉される開閉部材（例えば、前面枠やガラス扉枠）とを備え、該開閉部材の施錠を行う施錠装置を設けた遊技機において、
前記施錠装置は、外部操作手段（例えば、キー及びシリンダ錠）の操作に連動して前記開閉部材の解錠方向へ移動する移動部材（例えば、摺動杆）と、前記開閉部材の施錠位置と解錠位置とに移動可能でありかつ施錠方向へ付勢された複数の施錠部材とを備え、
前記移動部材の前記解錠方向への移動に連動して前記各施錠部材が解錠位置へ移動し、前記移動部材が前記解錠方向へ移動していない場合には前記各施錠部材はそれぞれ独立して前記付勢力によって施錠位置に保持されるように構成したことを特徴とする遊技機。
【００１２】
手段１によれば、外部操作手段の操作に連動して移動部材が開閉部材の解錠方向へ移動されると、各施錠部材は施錠位置から解錠位置に移動し、開閉部材が解錠される。一方、不正行為者が針金等を施錠部材に引っかけて該施錠部材を解錠位置へ移動させても、複数の施錠部材のうち一つが解錠されるに過ぎないため、開閉部材が簡単に不正開放されることはなくなる。
【００１３】
手段２．遊技機本体と、その前面側に当該遊技機本体に対して開閉される第１開閉部材（例えば、前面枠）と、前記遊技機本体又は第１開閉部材に対して開閉される第２開閉部材（例えば、ガラス扉枠）とを備え、前記各開閉部材の施錠を行う施錠装置を設けた遊技機において、
前記施錠装置は、外部操作手段の一方への操作に連動して一方向へ移動し、外部操作手段の他方への操作に連動して他方向へ移動する移動部材と、前記第１開閉部材の施錠位置と解錠位置とに移動可能でありかつ施錠方向へ付勢された複数の第１施錠部材と、前記第２開閉部材の施錠位置と解錠位置とに移動可能でありかつ施錠方向へ付勢された複数の第２施錠部材とを備え、
前記移動部材の前記一方向への移動に連動して前記各第１施錠部材が解錠位置へ移動し、前記移動部材が前記一方向へ移動していない場合には前記各第１施錠部材はそれぞれ独立して前記付勢力によって施錠位置に保持されるように構成し、
前記移動部材の前記他方向への移動に連動して前記各第２施錠部材が解錠位置へ移動し、前記移動部材が前記他方向へ移動していない場合には前記各第２施錠部材はそれぞれ独立して前記付勢力によって施錠位置に保持されるように構成したことを特徴とする遊技機。
【００１４】
手段２によれば、外部操作手段の操作に連動して移動部材が一方向へ移動されると、第１施錠部材は施錠位置から解錠位置に移動し、第１開閉部材が解錠される。また、移動部材が他方向へ移動されると、第２施錠部材は施錠位置から解錠位置に移動し、第２開閉部材が解錠される。このように、第１開閉部材及び第２開閉部材の解錠を共通の移動部材によって実現することができるため、従来のようなそれぞれの開閉部材用の移動部材（摺動杆等）を設ける必要がなくなり、施錠装置の軽量化、構造の簡素化を図ることができる。
【００１５】
一方、不正行為者が針金等を第１施錠部材に引っかけて該第１施錠部材を解錠位置へ移動させても、複数の第１施錠部材のうち一つが解錠されるに過ぎないため、第１開閉部材が簡単に不正開放されることはなくなる。同様に、針金等を第２施錠部材に引っかけて該第２施錠部材を解錠位置へ移動させても、複数の第２施錠部材のうち一つが解錠されるに過ぎないため、第２開閉部材が簡単に不正開放されることはなくなる。
【００１６】
手段３．手段１又は手段２において、前記開閉部材は一側を開閉中心とし、その他側に施錠装置を設け、該他側に沿って延びるように前記移動部材を長尺状に形成し、該移動部材をその長手方向（即ち、他側に沿った方向）に沿って移動するように構成したことを特徴とする遊技機。
【００１７】
手段３によれば、開閉部材の側部を利用して施錠装置が配置されることとなり、施錠装置を細長い領域にコンパクトにまとめることが可能となる。
【００１８】
手段４．遊技機本体（例えば、外枠）と、その前面側に当該遊技機本体に対して開閉される開閉部材（例えば、前面枠やガラス扉枠）とを備え、該開閉部材の施錠を行い、外部操作手段（例えば、キー及びシリンダ錠）の操作により前記開閉部材を解錠する施錠装置を設けた遊技機において、
前記開閉部材の解錠時に該開閉部材を開放方向へ押し出す押し出し手段を設けたことを特徴とする遊技機。
【００１９】
手段４によれば、開閉部材の解錠時に押し出し手段が開閉部材を開放方向へ押し出す結果、開閉部材の開放を容易に行うことができる。
【００２０】
ここで、押し出し手段は、常に開閉部材を開放方向へ付勢するものとしてもよいし、解錠時に限って開閉部材を開放方向へ付勢するものとしてもよい。
【００２１】
手段５．手段４において、前記押し出し手段を前記施錠装置に設けたことを特徴とする遊技機。
【００２２】
手段５によれば、施錠装置を取り付けることで押し出し手段も取り付けられるので取り付けが容易になるとともに、全体としてのコンパクト化も図ることができる。
【００２３】
手段６．手段４又は手段５において、前記開閉部材は一側を開閉中心とし、その他側に施錠装置を設け、該他側に沿って延びるように前記移動部材を長尺状に形成し、該移動部材をその長手方向（即ち、他側に沿った方向）に沿って移動するように構成したことを特徴とする遊技機。
【００２４】
手段６によれば、開閉部材の側部を利用して施錠装置が配置されることとなり、施錠装置を細長い領域にコンパクトにまとめることが可能となる。特に、手段５のように施錠装置に押し出し手段を設けた場合には、押し出し手段による開閉部材への押し出し力が効率良く作用し、比較的弱い付勢力で開閉部材を強制開放することができる。
【００２５】
なお、手段４乃至手段６における押し出し手段は、手段１や手段２において特定された不正防止のための構造が付加された施錠装置や、手段２において特定された複数の開閉部材兼用の施錠装置に組み合わせることも可能である。そして、この場合、押し出し手段を複数の施錠部材の間に配置することが好ましい。また、外部操作手段を一方へ偏った位置に設けた場合には押し出し手段をそれより他方寄りに配置することが好ましい。
【００２６】
手段７．手段１乃至６のいずれかにおいて、遊技機は弾球遊技機であること。中でも、弾球遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。なお、この場合、遊技機本体としては外枠が相当し、開閉部材としては前面枠やガラス扉枠が相当する。
【００２７】
手段８．手段１乃至６のいずれかにおいて、遊技機は回胴式遊技機（スロットマシン）であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、遊技機本体としては筐体（本体ボックス）が相当し、開閉部材としてはフロントパネルが相当する。
【００２８】
手段９．手段１乃至６のいずれかにおいて、遊技機は球払出遊技機であること。特に、スロットマシンとパチンコ遊技機とを融合した球払出遊技機としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる球払出遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、遊技機本体としては外枠が相当し、開閉部材としては前面枠やガラス扉枠が相当する。
【００２９】
以下、各種遊技機のうちパチンコ機について実施した場合の形態について、図面に基づいて詳細に説明する。
【００３０】
図１に示すように、パチンコ機１０１は、遊技機本体又は本体枠としての外枠１０２と、該外枠１０２の前部に設けられ外枠１０２の一側部にて開閉可能に支持された開閉部材としての前面枠１０３とを備えている。
【００３１】
前面枠１０３の前面側には、開閉部材としてのガラス扉枠１０４が設けられている。前面枠１０３の後部、即ちガラス扉枠１０４の奥側であって外枠１０２の内側となる部位には、遊技盤１０５が着脱可能に装着されている。本実施の形態では、これら外枠１０２、前面枠１０３、ガラス扉枠１０４等により本体が画定されている。
【００３２】
ガラス扉枠１０４の下方には、遊技球Ｂを貯留するための上皿１０６が一体形成された前飾り枠１０９が設けられている。また、前面枠１０３の前面下部には、左右方向ほぼ中央部において下皿１０７が設けられている。下皿１０７の側部には、遊技球発射用ハンドル１０８が設けられている。ハンドル１０８は図２に示されている遊技球発射装置１３１に連結されており、遊技者がハンドル１０８を回転させることにより、遊技球Ｂが遊技球発射装置１３１から発射される。
【００３３】
遊技盤１０５には、ルータ加工が施されることによって複数の開口部が形成されており、各開口部には、普通入賞チャッカー１１１、可変入賞装置１１２、作動チャッカー１１３、可変表示装置１１４、スルーチャッカー１１５等の入賞装置や表示装置が配設されている。
【００３４】
遊技盤１０５の一側部には、遊技球発射装置１３１によって発射される遊技球Ｂを遊技盤１０５の上部に案内する内レール１１６ａ及び外レール１１６ｂが設けられている。内レール１１６ａの下端部付近において、遊技盤１０５には遊技球Ｂを導出するアウト口１１７が形成されている。そして、遊技盤１０５の下部に流下した遊技球Ｂの多くは、このアウト口１１７を通って図示しない球排出路へと案内される。本実施の形態では、遊技盤１０５のうち内レール１１６ａ及び外レール１１６ｂによって囲まれ、可変表示装置１１４等が配設された部分が、遊技球Ｂが流下可能な遊技領域となっている。
【００３５】
可変表示装置１１４は、液晶表示部１２０と、該液晶表示部１２０を囲むように設けられたセンターフレーム１２１とを備えている。液晶表示部１２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００３６】
より詳しくは、可変表示装置１１４の下方に設けられた作動チャッカー１１３に遊技球Ｂが入賞することに基づいて、可変表示装置１１４の液晶表示部１２０の図柄が可変表示される。そして、停止された図柄の組合せが予め設定した特定の組合せとなった場合には特別遊技価値が付与される。すなわち、大当たり状態が発生し、可変入賞装置１１２の大入賞口が所定の開放状態となり（具体的には所定時間、所定回数だけ開く）、遊技球Ｂが入賞しやすい状態になる。なお、可変入賞装置１１２は、通常、遊技球Ｂが入賞できない状態又は入賞し難い状態になっている。
【００３７】
図２に示すように、遊技盤１０５の裏側には図示しない裏セット機構が設けられている。裏セット機構は、パチンコ機１０１の制御の中枢を担う主制御装置（主制御基板）１３７の他、遊技球Ｂを貯留するための球タンク１３２をはじめ、タンクレール１３３、払出通路１３４、及び、該払出通路１３４の途中に設けられ、モータ等を具備してなる払出装置１３５等を備えている。前記普通入賞チャッカー１１１、可変入賞装置１１２、作動チャッカー１１３に遊技球Ｂが入賞することに基づいて、遊技盤１０５の裏面側に設けられた払出制御装置１３６によって、払出装置１３４が駆動制御され、上皿１０６又は下皿１０７に対し所定数の景品球が払い出される。また、遊技盤５には、周知のとおり、遊技球Ｂの流下方向を適宜分散、調整等するために多数の釘が植設されているとともに、風車，役物等の各種部材が配設されている。
【００３８】
さて、以上説明したパチンコ機１０１には、外枠１０２に対する前面枠１０３の閉鎖状態において、前面枠１０３をロック状態に維持するための施錠機構が設けられている。また、前面枠１０３に対するガラス扉枠１０４の閉鎖状態において、前記ガラス扉枠１０４をロック状態に維持するための施錠機構が設けられている。
【００３９】
本実施の形態では、両施錠機構は１つの施錠装置で兼用されるようになっている。そして、前面枠１０３の右側部に設けられたシリンダ錠７への所定のキー操作によって前記各ロック状態が解除されるようになっている。なお、図１に示すようにパチンコ機１０１の前面右側部においてシリンダ錠７が露出されており、図２に示すようにパチンコ機１０１の裏面左側部において施錠装置の一部が露出されている。
【００４０】
ここで、本実施の形態の施錠装置の構成について図３乃至図１０を参照しつつ説明する。図３は施錠装置の正面図を、図４はその背面図を示し、図５はその右側面図を、図６はその左側面図を各々示している。さらに、図７は施錠装置の分解背面図を、図８は施錠装置の分解右側面図を、図９はガラス扉枠１０４の解錠時の状態を表す背面図を、図１０は使用状態を示す右側面図をそれぞれ示している。
【００４１】
施錠装置を構成する縦長の基枠１は、取付板２と支持板３とを備えており、これらが一体となって横断面略Ｌ字状をなしている。本実施の形態の施錠装置は、図１０に示すように、その取付板２が前面枠１０３の内側に縦方向に取付けられている。
【００４２】
図３，７，９に示すように、前記取付板２には複数の取付孔が穿設され、さらにその上部と下部に、矩形状の挿入孔１４，１５が形成されている。該挿入孔１４，１５には、ガラス扉枠１０４の閉時において後述するガラス扉枠鉤部２６，２７が進入するようになっている。また、図９に示すように、その挿入孔１４，１５の下側の取付板２上には、後述のガラス扉枠施錠部材１０，１１の摺動をガイドするためのガイドピン２ａ，２ｂが取付けられている。
【００４３】
支持板３の内側には、移動部材としての摺動杆６が上下に摺動可能に配設されている。基枠１の上部及び下部に設けられた施錠部材（第１施錠部材）としての鉤部材４，５は、前記摺動杆６が上方へ移動したときのみ連動して摺動するようになっている。なお、図１０に示すように、前記外枠１０２の内側には、鉤部材４，５に対応するようにして、受け金具２４，２５が固定されている。摺動杆６は、金属板により帯状に形成されている。
【００４４】
図８に示すように、摺動杆６の上部及び下部にはガイド孔６ｅ，６ｆが設けられ、中間部には手動操作用の操作部６ｇが突設され、下部のガイド孔６ｆの上方には、後述のカム板８が係合可能な２個の矩形状の係合部６ｃ，６ｄが形成されている。なお、前面枠１０３を解錠する際に、キーＫを挿入してシリンダ錠７に関し時計方向にキー操作したとき、後述するカム板８の第一係合凸部８ａが係合部６ｄに係合する。また、ガラス扉枠１０４を解錠する際に、シリンダ錠７に関し反時計方向にキー操作したとき、カム板８の第二係合凸部８ｂが係合部６ｃに係合する。なお、キーＫ及びシリンダ錠７によって外部操作手段が構成されている。
【００４５】
上部と下部の鉤部材４，５は、三角形頭部を有しており、その先端下部が係合部となっている。また、図６，７に示すように、上下の鉤部材４，５には、各々ガイドピン４ａ，５ａが固定されており、各ガイドピン４ａ，５ａは、支持板３の上部と下部に設けられた小判形のガイド孔３ａ，３ｂに係合状態で挿通されている。さらに、鉤部材４，５は、支持板３の上部と下部に設けられたガイド部３ｃ，３ｄにガイドされるようになっている。即ち、当該ガイドピン４ａ，５ａとガイド部３ｃ，３ｄとによって、鉤部材４，５は、所定の範囲で上下に摺動可能に支持されている。
【００４６】
上記ガイドピン４ａ，５ａは上記摺動杆６のガイド孔６ｅ，６ｆに挿通されており、かつ、鉤部材４，５と取付板２との間にコイルばね９ｂ，９ｄが掛けられ、鉤部材４，５は常には下方に引っ張られている。また、ガイドピン４ａ，５ａが摺動杆６のガイド孔６ｅ，６ｆと支持板３のガイド孔３ａ，３ｂの各下側縁部に当接している。
【００４７】
従って、摺動杆６が上方に摺動するのに伴って、鉤部材４，５も連動して上方へ移動するようになっている。一方で、各々の鉤部材４，５は、独立して上方に移動可能であり、針金などで上下の鉤部材４，５を上方に移動させようとする場合（不正行為が行われる場合）は、両方の鉤部材４，５に針金を引っ掛けて上に引かなければならない。即ち、一方のみの鉤部材４または５を引っ掛けて上に引いただけでは解錠をすることができないように構成されているため、事実上、不正解錠は殆ど不可能となる。
【００４８】
ガラス扉枠施錠機構を構成する施錠部材（第２施錠部材）としてのガラス扉枠施錠部材１０，１１は、図７，８に示すように、金属板を断面コ字状に折曲げることにより形成されている。ガラス扉枠施錠部材１０，１１のうち取付板２側の面には矩形状の係止孔１２，１３が形成され、当該係止孔１２，１３が取付板２に形成された前記挿入孔１４，１５に相対するよう配置されている。
【００４９】
ガラス扉枠施錠部材１０，１１には、各々ガイド孔１０ａ，１０ｂ、１１ａ，１１ｂが設けられ、ガイド孔１０ａ，１１ａには、摺動杆６の上部及び下部に固定されたガイドピン６ａ，６ｂが係合されている。ガイド孔１０ｂ，１１ｂには、取付板２の上部と下部に固定されたガイドピン２ａ，２ｂが係合されている。そして、ガラス扉枠施錠部材１０，１１と取付板２との間にコイルばね９ａ，９ｃが掛けられている。
【００５０】
かかる構成下、ガラス扉枠施錠部材１０，１１は常には上方に引っ張られ、ガイドピン２ａ，２ｂがガラス扉枠施錠部材１０，１１のガイド孔１０ｂ，１１ｂの下側縁部に当接し、かつ、ガイドピン６ａ，６ｂがガラス扉枠施錠部材１０，１１のガイド孔１０ａ，１１ａの下側縁部に当接した状態で停止する。このようなガラス扉枠施錠部材１０，１１の停止位置において、その係止孔１２，１３は、取付板２側の挿入孔１４，１５の上部に相対して位置する。
【００５１】
そして、ガラス扉枠１０４が閉じられるときには、ガラス扉枠１０４側に設けられたガラス扉枠鉤部２６，２７（図９，１０参照）がその係止孔１２，１３に進入する。このとき、ガラス扉枠施錠部材１０，１１は、その鉤部２６，２７によって押され、コイルばね９ａ，９ｃの引張力に抗して下方に摺動し、その後、前記コイルばね９ａ，９ｃの引張力で元の位置に戻り、ガラス扉枠鉤部２６，２７を係止する。また、ガラス扉枠施錠部材１０，１１は、解錠時には、摺動杆６の下方への摺動に伴って下方に摺動する。これにより、ガラス扉枠鉤部２６，２７と係止孔１２，１３との係合が解除されるようになっている。
【００５２】
取付板２の下部の拡幅部分には、シリンダ錠７を取り付けるための異形孔が形成されていると共に、該異形孔に対応して取付ブラケット部１８が形成されている。取付ブラケット部１８は、取付板２の一部を切り欠くとともに、上下の切り欠き片をそれぞれ内側に鉤状に折り曲げることにより形成されている。そして、シリンダ錠７は、基枠１の異形孔に挿入された状態で、その先端部分が取付ブラケット部１８に固定されている。より詳しくは、シリンダ錠７は、その先端部分においてフランジ７ａを有しており、シリンダ錠７の本体の一部が基枠１の内側に挿入された状態で、フランジ７ａが取付ブラケット部１８に対しねじ止め固定されている。
【００５３】
シリンダ錠７の錠軸には第一係合凸部８ａと第二係合凸部８ｂとを備えてなるカム板８が固定される。キー操作によってカム板８が図４の反時計方向に回動された場合、カム板８の第一係合凸部８ａが摺動杆６の係合部６ｄに係合し、摺動杆６が上方に摺動する。これにより、鉤部材４，５が上方に摺動する。このとき、鉤部材４，５と外枠１０２側の受け金具２４，２５との係合が解除され、前面枠１０３が解錠される。従って、上記鉤部材４，５、摺動杆６、カム板８、シリンダ錠７等によって、外枠１０２に対する前面枠１０３の施錠・解錠機構が形成されることになる。
【００５４】
一方、キー操作によってカム板８が図４の時計方向に回動された場合、カム板８の第二係合凸部８ｂが摺動杆６の係合部６ｃに係合し、摺動杆６が下方に摺動し、ガラス扉枠施錠部材１０，１１が下方に摺動する。このとき、ガラス扉枠施錠部材１０，１１とガラス扉枠１０４側のガラス扉枠鉤部２６，２７との係合が解除され、ガラス扉枠１０４が解錠される。従って、ガラス扉枠施錠部材１０，１１、摺動杆６、カム板８、シリンダ錠７等によって、ガラス扉枠１０４の施錠・解錠機構が形成されることになる。
【００５５】
ここで、従来のこの種の施錠装置では、上下のガラス扉枠施錠部材が一体に形成され、比較的大型のものとなっていたが、本施錠装置では、ガラス扉枠施錠部材１０，１１が別個に小形化されて形成されているとともに、前面枠用解錠機構の摺動杆６に連係して解錠動作が行われるようになっている。このため、施錠装置の軽量化が図れ、構造も著しく簡単なものとなる。
【００５６】
なお、図５，８に示すように、摺動杆６における係合部６ｄの下側には、ストッパ１６がカム板８側に突出して設けられている。このストッパ１６は、摺動杆６の不正な上方摺動を防止するもので、施錠状態において、摺動杆６が上方に針金などで不正に移動することがあっても、図４，５の通常位置にあるカム板８の第一係合凸部８ａにストッパ１６が当接し、摺動杆６と鉤部材４，５とがその解錠位置まで移動することを阻止している。
【００５７】
次に、上記のように構成されてなる本実施の形態のパチンコ機１０１の作用効果について、特に施錠装置を中心に説明する。
【００５８】
パチンコ機１０１における前面枠１０３を外枠１０２に対し閉じると、図１０に示すように、施錠装置の上下の鉤部材４，５が、各々独立して、コイルばね９ｂ，９ｄの引張力に抗して、外枠１０２側の受け金具２４，２５に当りながら上方に移動し、その後、コイルばね９ｂ，９ｄの引張力により戻って受け金具２４，２５に係止され、施錠状態となる（図１０における２点鎖線）。
【００５９】
それを解錠する場合は、キーＫをシリンダ錠７の鍵穴に差し込んだ状態でシリンダ錠７の錠軸を裏面からみて反時計方向へ回し、カム板８を回動させる。すると、カム板８の第一係合凸部８ａが摺動杆６の係合部６ｄと係合して、摺動杆６が上方へ摺動する。そして、摺動杆６の上昇時のみ連動する上下の鉤部材４，５が上方に移動され、これによって、外枠１０２の受け金具２４，２５との係合が外れ、前面枠２１は開放可能な状態となる。
【００６０】
一方、前面枠１０３内のガラス扉枠１０４を前面枠１０３に対し閉じると、図９に示すように、ガラス扉枠１０４の内側に突出したガラス扉枠鉤部２６，２７が、挿入孔１４，１５から基枠１内に進入し、ガラス扉枠施錠部材１０，１１の係止孔１２，１３に入る。そして、ガラス扉枠施錠部材１０，１１をコイルばね９ａ，９ｃの引張力に抗して下方に摺動させた後、コイルばね９ａ，９ｃの引張力によりガラス扉枠施錠部材１０，１１が上方に戻る。これにより、ガラス扉枠鉤部２６，２７が係止孔１２，１３の縁部に係止され、ガラス扉枠１０４は施錠状態となる。
【００６１】
ガラス扉枠１０４を解錠する場合は、キーＫをシリンダ錠７の鍵穴に差し込んだ状態でシリンダ錠７の錠軸を裏面からみて時計方向へ回し、カム板８を回動させると、カム板８の第二係合凸部８ｂが摺動杆６の係合部６ｃと係合し、摺動杆６がコイルばね９ａ，９ｃの引張力に抗して下方へ摺動する。そして、摺動杆６の下方への摺動時にのみ連動する上下のガラス扉枠施錠部材１０，１１が下方に摺動し、これによってガラス扉枠１０４のガラス扉枠鉤部２６，２７と係止孔１２，１３の縁部の係合が外れ、ガラス扉枠１０４は開放される。
【００６２】
一方、施錠された状態で、パチンコ機１０１の隙間から針金などが差し込まれ、鉤部材４又は５に引っ掛けられて、鉤部材４又は５を上方に引かれたとしても、両鉤部材４，５は互いに独立して存在していることから、一方の鉤部材４又は５は上方に移動するが、他方の鉤部材５又は４は移動しない。このため、不正行為者が針金などにより一方の鉤部材４又は５を解錠方向に移動させたとしても、他方の鉤部材５又は４によって施錠状態が保持され、前面枠１０３の不正開放が防止される。
【００６３】
また、針金などを摺動杆６に引っ掛けてそれを上方に摺動させて解錠しようとした場合には、摺動杆６のカム板８側に設けられたストッパ１６が、カム板８の第一係合凸部８ａに当たり、摺動杆６の解錠側への移動が阻止され、同様に前面枠１０３の不正解錠は防止される。
【００６４】
さらに、ガラス扉枠施錠部材１０，１１も、摺動杆６に対しては独立して下方に移動可能に形成されているから、上記前面枠１０３の不正解錠が防止されるのと同様に、不正解錠を防止することができることとなる。
【００６５】
尚、上述した実施の形態の記載内容に限定されず、例えば次のように実施してもよい。
【００６６】
（ａ）遊技盤１０５上で遊技球Ｂが釘等に引っかかる不都合が発生すると、ホール従業員が施錠装置でガラス扉枠１０４を解錠してその遊技球Ｂを取り除くサービスを行うことは周知のとおりであるが、この施錠装置を解錠してもガラス扉枠１０４を開放するには当該ガラス扉枠１０４の外周縁を指先で引っ張りださなければならない。そこで、ガラス扉枠１０４の解錠時に強制的にガラス扉枠１０４を手前に押し出す強制開放機構を前記施錠装置に付加してもよい。
【００６７】
かかる強制開放機構について、図１１，１２に基づいて説明する。前記基枠１の支持板３には回動軸４１が固定され、回動軸４１を中心に押し出し板４２が回動可能に支持されている。なお、取付板２及び支持板３には押し出し板４２の一定範囲の回動を許容すべく切り欠きが形成されている。従って、押し出し板４２は図１１に示す起立位置と、図１２に示す押し出し位置との間を限度として回動可能となっている。
【００６８】
摺動杆６には当該摺動杆６の上下方向の摺動にかかわらず回動軸４１と摺動杆６とが干渉しないように上下方向に長いガイド孔４３が形成されている。摺動杆６にはコイルバネ４４の一端が取り付けられ、その他端が押し出し板４２に取り付けられており、摺動杆６が下方に摺動した場合に、コイルバネ４４は押し出し板４２を押し出し位置側へ回動させる付勢力を発生する。
【００６９】
摺動杆６には係止突起４５が形成されており、その係止突起４５は摺動杆６が通常の位置に配置されている場合には、押し出し板４２に形成された係止孔４６に係合され、当該押し出し板４２を起立位置に保持するようにしている。
【００７０】
係止孔４６の下方には、該係止孔４６に連続して開放孔４７が形成されており、摺動杆６が下方に摺動した場合には、係止突起４５が係止孔４６から脱して開放孔４７に至ることにより、前記係合関係が解除される。これにより、コイルバネ４４の付勢力で押し出し板４２が勢いよく押し出し位置に回動される。
【００７１】
従って、押し出し板４２が起立位置にある場合に押し出し板４２の直前位置にガラス扉枠１０４の背面が近接するように位置調整しておくことにより、摺動杆６を下方に摺動させると、ガラス扉枠１０４の解錠とともにガラス扉枠１０４の強制開放が行われる。また、ガラス扉枠１０４を閉鎖させると、押し出し板４２はガラス扉枠１０４の背面に押されて図１１に示す起立位置に復帰する。
【００７２】
これにより、ガラス扉枠１０４の解錠及び強制開放を摺動杆６の下方への摺動だけで行うことができ、構造簡易にして使い勝手のよい施錠装置を提供することができる。
【００７３】
（ｂ）上記（ａ）の例において、押し出し板４２を摺動杆６に連動させて行うように構成したが、摺動杆６と別に押し出し板４２のためのリンク機構等を設けてもよい。但し、この場合は構造が若干複雑化する。
【００７４】
一方、押し出し板４２はコイルバネ等の付勢手段によって常にガラス扉枠１０４を手前に強制開放する側へ付勢するようにしてもよい。この場合であっても、施錠装置によって施錠時には付勢力にかかわらずガラス扉枠１０４が開放されることはないため、構造が簡易になる。
【００７５】
（ｃ）上記（ａ）または（ｂ）の例において、ガラス扉枠１０４の長手方向略中央位置に押し出し板４２を設けることが好ましい。このようにすれば、１つの押し出し板４２であっても、ガラス扉枠１０４に偏った力が生じにくくなり、ガラス扉枠１０４の円滑な開放が可能となるばかりかガラス扉枠１０４の歪みの原因も取り除くことができる。
【００７６】
（ｄ）上記（ａ）乃至（ｃ）の例において、押し出し板４２を両ガラス扉枠施錠部材１０，１１に挟まれた中間位置に設けることが好ましい。このようにすれば、長期に使用された結果、一方の施錠部材１０または１１の抜けが悪くなって解錠が若干不安定になった場合であっても、押し出し板４２の強制開放力によって解錠の補助とすることができる。
【００７７】
（ｅ）上記押し出し板４２を１つ設けた場合について説明したが、これを複数設けてもよい。例えば、上部と下部にそれぞれ設けたり、更にそれらの中間にも設けるようにしてもよい。
【００７８】
（ｆ）上記押し出し板４２をガラス扉枠１０４の開放のために利用したが、これに代えまたはこれに加え、前面枠１０３の強制開放のために利用してもよい。この場合も、前面枠１０３の解錠と同時に強制開放が行われるように構成するのが好ましい。なお、その具体的構造は、図１１，１２の押し出し板４２が同図の右側に向けられ、摺動杆６の上方への摺動によって前面枠１０３が解錠された場合に、押し出し板４２が外枠１０２を押し出すような構成とすればよく、当該外枠１０２が固定されている結果、押し出し板４２が強制開放される。
【００７９】
（ｇ）シリンダ錠７の位置は略中央位置に設けられているが、これを一方へ偏った位置に設けた場合であって、キー操作しながらキーを手前に引っ張って枠（例えば前面枠１０３）を開放するような場合、その枠（前面枠１０３）を強制開放する押し出し板４２を他方へ偏った位置に設けることが好ましい。例えばシリンダ錠７の操作性向上のためにその位置を上部に設けた場合には、それよりも下方に押し出し板４２を設けることが好ましい。このようにすれば、キーの引き出し力と押し出し板４２の押し出し力とがバランスよく枠に作用し、円滑に枠を開放することができる。
【００８０】
（ｈ）上記実施の形態とは異なるタイプのパチンコ機等の弾球遊技機として実施してもよい。例えば、一度大当たりすると、それを含めて複数回（例えば２回、３回）大当たり状態が発生するまで、大当たり期待値が高められるような弾球遊技機（通称、２回権利物、３回権利物と称される）として実施してもよい。また、大当り図柄が表示された後に所定の領域に遊技球を入賞させることを必要条件として特別遊技状態となる弾球遊技機として実施してもよい。羽根モノと称されるパチンコ機に適用することも可能である。また、パチンコ機以外にも、アレパチ、雀球等の各種弾球遊技機として実施することも可能である。
【００８１】
（ｉ）上記実施の形態とは異なるタイプの遊技機として回胴式遊技機（スロットマシン）について実施してもよい。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技機本体は、筐体（本体ボックス）であり、開閉部材は本体ボックスに対し開閉可能に支持された前面扉（フロントパネル）である。
【００８２】
（ｊ）上記実施の形態とは異なるタイプの遊技機として、弾球遊技機や回胴式遊技機以外の球払出遊技機について実施してもよい。なお、弾球遊技機も球払出遊技機の一種である。この例として、パチンコ機とスロットマシンとが融合したタイプの遊技機が挙げられる。その具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生し、遊技者には、下部の受皿に多量の遊技球が払い出されるものである。
【符号の説明】
【００８３】
４，５…施錠部材，第１施錠部材を構成する鉤部材、６…移動部材としての摺動杆、７…シリンダ錠（キーＫとともに外部操作手段）、８…カム板、１０，１１…施錠部材，第２施錠部材を構成するガラス扉枠施錠部材、４２…押し出し手段を構成する押し出し板、１０１…遊技機，弾球遊技機，球払出遊技機としてのパチンコ機、１０２…遊技機本体としての外枠、１０３…開閉部材，第１開閉部材としての前面枠、１０４…開閉部材，第２開閉部材としてのガラス扉枠。
【図１】
2010264309.tif 000003
【図２】
2010264309.tif 000004
【図３】
2010264309.tif 000005
【図４】
2010264309.tif 000006
【図５】
2010264309.tif 000007
【図６】
2010264309.tif 000008
【図７】
2010264309.tif 000009
【図８】
2010264309.tif 000010
【図９】
2010264309.tif 000011
【図１０】
2010264309.tif 000012
【図１１】
2010264309.tif 000013
【図１２】
2010264309.tif 000014